【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】
ネットワーク接続されたノードに対してデータ記録処理要求を送信する記録指示装置としての情報処理装置であり、
前記データ記録処理要求を受信するノードにおいて、処理要求に従った処理を実行するか否かの判定処理に適用可能な判定用データを設定するルール判断条件設定部と、
前記ルール判断条件設定部において設定した判定用データを格納するとともに、記録処理対象データを格納したデータ記録処理要求パケットを生成するパケット生成部と、
前記パケット生成部において生成したパケットを送信するネットワークインタフェース部と、
を有することを特徴とする情報処理装置。
【請求項２】
前記ルール判断条件設定部は、
前記データ記録処理要求を受信するノードにおいて、処理要求に従った処理を実行するか否かの判定処理に適用可能な記録ルール判断条件記述としての確率値：αを設定する処理を実行する構成であり、
前記パケット生成部は、
前記記録ルール判断条件記述としての確率値：αを格納したパケットを生成する処理を実行する構成であることを特徴とする請求項１に記載の情報処理装置。
【請求項３】
前記情報処理装置は、
記録処理対象データのＦＥＣ符号化処理およびインタリーブ処理を実行するデータ加工部を有し、
前記パケット生成部は、
前記データ加工部において加工されたデータをペイロードとして設定したパケットの生成処理を実行する構成であることを特徴とする請求項１に記載の情報処理装置。
【請求項４】
前記情報処理装置は、
記録処理対象データのＦＥＣ符号化処理を実行するデータ加工部を有し、該データ加工部は、データをｐ個のブロック数に分割し、生成したｐ個のブロックにＦＥＣ符号化を施してｑ個のブロックに変換する符号化率ｑ／ｐの符号化処理を実行する構成であり、
前記ルール判断条件設定部は、
前記データ記録処理要求を受信するノードにおいて記録確率：αでデータを記録させる確率値：αを記録ルール判断条件記述として設定する構成であり、前記ネットワークに接続された再生指示装置から指定される返信確率：β、および前記符号化ブロック数：ｑと、ネットワーク接続ノード数：ｎによって算出可能な返信ブロック数：ｑ×α×ｎ×βと、前記ブロック数：ｐとの関係が、
返信ブロック数：ｑ×α×ｎ×β＞ブロック数：ｐ
となるように前記確率値：αを設定する構成であることを特徴とする請求項１に記載の情報処理装置。
【請求項５】
ネットワーク接続されたノードに対してデータ再生処理要求を送信する再生指示装置としての情報処理装置であり、
前記データ再生処理要求を受信するノードにおいて、処理要求に従った処理を実行するか否かの判定処理に適用可能な判定用データを設定するルール判断条件設定部と、
前記ルール判断条件設定部において設定した判定用データを格納するとともに、再生処理対象データの指示データを格納したデータ再生処理要求パケットを生成するパケット生成部と、
前記パケット生成部において生成したパケットを送信するネットワークインタフェース部と、
を有することを特徴とする情報処理装置。
【請求項６】
前記ルール判断条件設定部は、
前記データ再生処理要求を受信するノードにおいて、処理要求に従った処理を実行するか否かの判定処理に適用可能な再生ルール判断条件記述としての確率値：βを設定する処理を実行する構成であり、
前記パケット生成部は、
前記再生ルール判断条件記述としての確率値：βを格納したパケットを生成する処理を実行する構成であることを特徴とする請求項５に記載の情報処理装置。
【請求項７】
前記情報処理装置は、さらに、
デインタリーブ処理およびＦＥＣ復号処理を実行するデータ復元処理部を有し、
前記データ復元処理部は、前記データ再生処理要求を受信したノードから受信するパケットから抽出される再生対象データについてのデインタリーブ処理およびＦＥＣ復号処理を実行し、データ復元を行なう構成であることを特徴とする請求項５に記載の情報処理装置。
【請求項８】
前記ノードに格納された再生対象データは、データをｐ個のブロック数に分割し、ｐ個のブロックにＦＥＣ符号化を施してｑ個のブロックに変換した符号化率ｑ／ｐの符号化処理データであり、
前記ルール判断条件設定部は、
前記データ再生処理要求を受信するノードにおいて返信確率：βでデータを返信させる確率値：βを再生ルール判断条件記述として設定する構成であり、前記ネットワークに接続された記録指示装置から指定される記録確率：α、および前記符号化ブロック数：ｑと、ネットワーク接続ノード数：ｎによって算出可能な返信ブロック数：ｑ×α×ｎ×βと、前記ブロック数：ｐとの関係が、
返信ブロック数：ｑ×α×ｎ×β＞ブロック数：ｐ
となるように前記確率値：βを設定する構成であることを特徴とする請求項５に記載の情報処理装置。
【請求項９】
データ受信部と、
前記データ受信部を介して受信するデータ処理要求に基づくデータ処理を実行するか否かを判定するルール判断処理部と、
前記ルール判断処理部における判定に基づいてデータ処理を実行するデータ処理部とを有し、
前記ルール判断処理部は、
前記データ受信部を介して受信するデータ処理要求に含まれる判定用データに基づいて、処理要求に従った処理を実行するか否かの判定処理を実行する構成であることを特徴とする情報処理装置。
【請求項１０】
前記判定用データは、データ処理要求に含まれるルール判断条件記述子としての確率値であり、
前記ルール判断処理部は、
前記確率値に応じて処理要求に従った処理を実行するか否かの判定処理を実行する構成であることを特徴とする請求項９に記載の情報処理装置。
【請求項１１】
前記判定用データは、データ処理要求に含まれるルール判断条件記述子としての確率値であり、
前記ルール判断処理部は、
乱数生成処理を実行するとともに、生成乱数と前記確率値との比較結果に応じて処理要求に従った処理を実行するか否かの判定処理を実行する構成であることを特徴とする請求項９に記載の情報処理装置。
【請求項１２】
前記判定用データは、データ処理要求に含まれるデータ処理要求格納データであり、
前記ルール判断処理部は、
前記データ処理要求格納データに基づくハッシュ値算出処理を実行するとともに、算出ハッシュ値と、予め自装置に設定された設定値との比較結果に応じて処理要求に従った処理を実行するか否かの判定処理を実行する構成であることを特徴とする請求項９に記載の情報処理装置。
【請求項１３】
ネットワーク接続された複数ノードにデータ記録処理要求を送信し、複数ノードに対する分散データ記録処理を実行するデータ記録処理方法であり、
前記データ記録処理要求を受信するノードにおいて、処理要求に従った処理を実行するか否かの判定処理に適用可能な判定用データを設定するルール判断条件設定ステップと、
前記ルール判断条件設定ステップにおいて設定した判定用データを格納するとともに、記録処理対象データを格納したデータ記録処理要求パケットを生成するパケット生成ステップと、
前記パケット生成ステップにおいて生成したパケットを送信するパケット送信ステップと、
を有することを特徴とするデータ記録処理方法。
【請求項１４】
前記ルール判断条件設定ステップは、
前記データ記録処理要求を受信するノードにおいて、処理要求に従った処理を実行するか否かの判定処理に適用可能な記録ルール判断条件記述としての確率値：αを設定する処理を実行し、
前記パケット生成ステップは、
前記記録ルール判断条件記述としての確率値：αを格納したパケットを生成する処理を実行することを特徴とする請求項１３に記載のデータ記録処理方法。
【請求項１５】
前記データ記録処理方法は、
記録処理対象データのＦＥＣ符号化処理およびインタリーブ処理を実行するデータ加工ステップを有し、
前記パケット生成ステップは、
前記データ加工ステップにおいて加工されたデータをペイロードとして設定したパケットの生成処理を実行することを特徴とする請求項１３に記載のデータ記録処理方法。
【請求項１６】
前記データ記録処理方法は、
記録処理対象データのＦＥＣ符号化処理を実行するデータ加工ステップを有し、該データ加工ステップは、データをｐ個のブロック数に分割し、生成したｐ個のブロックにＦＥＣ符号化を施してｑ個のブロックに変換する符号化率ｑ／ｐの符号化処理を実行し、
前記ルール判断条件設定ステップは、
前記データ記録処理要求を受信するノードにおいて記録確率：αでデータを記録させる確率値：αを記録ルール判断条件記述として設定し、前記ネットワークに接続された再生指示装置から指定される返信確率：β、および前記符号化ブロック数：ｑと、ネットワーク接続ノード数：ｎによって算出可能な返信ブロック数：ｑ×α×ｎ×βと、前記ブロック数：ｐとの関係が、
返信ブロック数：ｑ×α×ｎ×β＞ブロック数：ｐ
となるように前記確率値：αを設定することを特徴とする請求項１３に記載のデータ記録処理方法。
【請求項１７】
ネットワーク接続されたノードに対してデータ再生処理要求を送信し、返信データに基づくデータ再生処理を実行するデータ再生処理方法であり、
前記データ再生処理要求を受信するノードにおいて、処理要求に従った処理を実行するか否かの判定処理に適用可能な判定用データを設定するルール判断条件設定ステップと、
前記ルール判断条件設定ステップにおいて設定した判定用データを格納するとともに、再生処理対象データの指示データを格納したデータ再生処理要求パケットを生成するパケット生成ステップと、
前記パケット生成ステップにおいて生成したパケットを送信するパケット送信ステップと、
を有することを特徴とするデータ再生処理方法。
【請求項１８】
前記ルール判断条件設定ステップは、
前記データ再生処理要求を受信するノードにおいて、処理要求に従った処理を実行するか否かの判定処理に適用可能な再生ルール判断条件記述としての確率値：βを設定する処理を実行し、
前記パケット生成ステップは、
前記再生ルール判断条件記述としての確率値：βを格納したパケットを生成する処理を実行することを特徴とする請求項１７に記載のデータ再生処理方法。
【請求項１９】
前記データ再生処理方法は、さらに、
デインタリーブ処理およびＦＥＣ復号処理を実行するデータ復元処理ステップを有し、
前記データ復元処理ステップは、前記データ再生処理要求を受信したノードから受信するパケットから抽出される再生対象データについてのデインタリーブ処理およびＦＥＣ復号処理を実行し、データ復元を行なうことを特徴とする請求項１７に記載のデータ再生処理方法。
【請求項２０】
前記ノードに格納された再生対象データは、データをｐ個のブロック数に分割し、ｐ個のブロックにＦＥＣ符号化を施してｑ個のブロックに変換した符号化率ｑ／ｐの符号化処理データであり、
前記ルール判断条件設定ステップは、
前記データ再生処理要求を受信するノードにおいて返信確率：βでデータを返信させる確率値：βを再生ルール判断条件記述として設定し、前記ネットワークに接続された記録指示装置から指定される記録確率：α、および前記符号化ブロック数：ｑと、ネットワーク接続ノード数：ｎによって算出可能な返信ブロック数：ｑ×α×ｎ×βと、前記ブロック数：ｐとの関係が、
返信ブロック数：ｑ×α×ｎ×β＞ブロック数：ｐ
となるように前記確率値：βを設定することを特徴とする請求項１７に記載のデータ再生処理方法。
【請求項２１】
データ受信部を介して受信するデータ処理要求を解析し、該データ処理要求を実行するか否かの判定処理を実行するデータ処理方法であり、
データ処理要求に基づくデータ処理を実行するか否かを判定するルール判断処理ステップと、
前記ルール判断処理ステップにおける判定に基づいてデータ処理を実行するデータ処理ステップとを有し、
前記ルール判断処理ステップは、
データ受信部を介して受信するデータ処理要求に含まれる判定用データに基づいて、処理要求に従った処理を実行するか否かの判定処理を実行することを特徴とするデータ処理方法。
【請求項２２】
前記判定用データは、データ処理要求に含まれるルール判断条件記述子としての確率値であり、
前記ルール判断処理ステップは、
前記確率値に応じて処理要求に従った処理を実行するか否かの判定処理を実行することを特徴とする請求項２１に記載のデータ処理方法。
【請求項２３】
前記判定用データは、データ処理要求に含まれるルール判断条件記述子としての確率値であり、
前記ルール判断処理ステップは、
乱数生成処理を実行するとともに、生成乱数と前記確率値との比較結果に応じて処理要求に従った処理を実行するか否かの判定処理を実行することを特徴とする請求項２１に記載のデータ処理方法。
【請求項２４】
前記判定用データは、データ処理要求に含まれるデータ処理要求格納データであり、
前記ルール判断処理ステップは、
前記データ処理要求格納データに基づくハッシュ値算出処理を実行するとともに、算出ハッシュ値と、予め自装置に設定された設定値との比較結果に応じて処理要求に従った処理を実行するか否かの判定処理を実行する構成であることを特徴とする請求項２１に記載のデータ処理方法。
【請求項２５】
ネットワーク接続された複数ノードにデータ記録処理要求を送信し、複数ノードに対する分散データ記録処理を、情報処理装置において実行させるコンピュータ・プログラムであり、
前記情報処理装置のルール判断条件設定部における実行ステップであり、前記データ記録処理要求を受信するノードにおいて、処理要求に従った処理を実行するか否かの判定処理に適用可能な判定用データを設定するルール判断条件設定ステップと、
前記情報処理装置のパケット生成部における実行ステップであり、前記ルール判断条件設定ステップにおいて設定した判定用データを格納するとともに、記録処理対象データを格納したデータ記録処理要求パケットを生成するパケット生成ステップと、
前記情報処理装置のデータ送信部における実行ステップであり、前記パケット生成ステップにおいて生成したパケットを送信するパケット送信ステップと、
を実行ステップとして記録した構成を有することを特徴とするコンピュータ・プログラム。
【請求項２６】
ネットワーク接続されたノードに対してデータ再生処理要求を送信し、返信データに基づくデータ再生処理を、情報処理装置において実行させるコンピュータ・プログラムであり、
前記情報処理装置のルール判断条件設定部における実行ステップであり、前記データ再生処理要求を受信するノードにおいて、処理要求に従った処理を実行するか否かの判定処理に適用可能な判定用データを設定するルール判断条件設定ステップと、
前記情報処理装置のパケット生成部における実行ステップであり、前記ルール判断条件設定ステップにおいて設定した判定用データを格納するとともに、再生処理対象データの指示データを格納したデータ再生処理要求パケットを生成するパケット生成ステップと、
前記情報処理装置のデータ送信部における実行ステップであり、前記パケット生成ステップにおいて生成したパケットを送信するパケット送信ステップと、
を実行ステップとして記録した構成を有することを特徴とするコンピュータ・プログラム。
【請求項２７】
データ受信部を介して受信するデータ処理要求を解析し、該データ処理要求を実行するか否かの判定処理を、情報処理装置において実行させるコンピュータ・プログラムであり、
前記情報処理装置のルール判断処理部における実行ステップであり、データ処理要求に基づくデータ処理を実行するか否かを判定するルール判断処理ステップと、
前記情報処理装置のデータ処理部における実行ステップであり、前記ルール判断処理ステップにおける判定に基づいてデータ処理を実行するデータ処理ステップとを有し、
前記ルール判断処理ステップは、
データ受信部を介して受信するデータ処理要求に含まれる判定用データに基づいて、処理要求に従った処理を実行するか否かの判定処理を実行するステップを含む実行ステップとして記録された構成を有することを特徴とするコンピュータ・プログラム。
【手続補正２】
【補正対象書類名】明細書
【補正対象項目名】００４３
【補正方法】変更
【補正の内容】
【００４３】
さらに、本発明の第７の側面は、
ネットワーク接続された複数ノードにデータ記録処理要求を送信し、複数ノードに対する分散データ記録処理を、情報処理装置において実行させるコンピュータ・プログラムであり、
前記情報処理装置のルール判断条件設定部における実行ステップであり、前記データ記録処理要求を受信するノードにおいて、処理要求に従った処理を実行するか否かの判定処理に適用可能な判定用データを設定するルール判断条件設定ステップと、
前記情報処理装置のパケット生成部における実行ステップであり、前記ルール判断条件設定ステップにおいて設定した判定用データを格納するとともに、記録処理対象データを格納したデータ記録処理要求パケットを生成するパケット生成ステップと、
前記情報処理装置のデータ送信部における実行ステップであり、前記パケット生成ステップにおいて生成したパケットを送信するパケット送信ステップと、
を実行ステップとして記録した構成を有することを特徴とするコンピュータ・プログラムにある。
【手続補正３】
【補正対象書類名】明細書
【補正対象項目名】００４４
【補正方法】変更
【補正の内容】
【００４４】
さらに、本発明の第８の側面は、
ネットワーク接続されたノードに対してデータ再生処理要求を送信し、返信データに基づくデータ再生処理を、情報処理装置において実行させるコンピュータ・プログラムであり、
前記情報処理装置のルール判断条件設定部における実行ステップであり、前記データ再生処理要求を受信するノードにおいて、処理要求に従った処理を実行するか否かの判定処理に適用可能な判定用データを設定するルール判断条件設定ステップと、
前記情報処理装置のパケット生成部における実行ステップであり、前記ルール判断条件設定ステップにおいて設定した判定用データを格納するとともに、再生処理対象データの指示データを格納したデータ再生処理要求パケットを生成するパケット生成ステップと、
前記情報処理装置のデータ送信部における実行ステップであり、前記パケット生成ステップにおいて生成したパケットを送信するパケット送信ステップと、
を実行ステップとして記録した構成を有することを特徴とするコンピュータ・プログラムにある。
【手続補正４】
【補正対象書類名】明細書
【補正対象項目名】００４５
【補正方法】変更
【補正の内容】
【００４５】
さらに、本発明の第９の側面は、
データ受信部を介して受信するデータ処理要求を解析し、該データ処理要求を実行するか否かの判定処理を、情報処理装置において実行させるコンピュータ・プログラムであり、
前記情報処理装置のルール判断処理部における実行ステップであり、データ処理要求に基づくデータ処理を実行するか否かを判定するルール判断処理ステップと、
前記情報処理装置のデータ処理部における実行ステップであり、前記ルール判断処理ステップにおける判定に基づいてデータ処理を実行するデータ処理ステップとを有し、
前記ルール判断処理ステップは、
データ受信部を介して受信するデータ処理要求に含まれる判定用データに基づいて、処理要求に従った処理を実行するか否かの判定処理を実行するステップを含む実行ステップとして記録された構成を有することを特徴とするコンピュータ・プログラムにある。